(57)【特許請求の範囲】
【請求項１】
伸縮式アンテナ、
アンテナジャケット、
ストッパー基部、及び
弾性スリーブを含み、
前記アンテナジャケットが少なくとも一端に開口を有する中空チューブ構造であり、
前記伸縮式アンテナが前記アンテナジャケット内に配置され、
前記伸縮式アンテナが前記アンテナジャケット内をスライドし、前記アンテナジャケットの一端の前記開口から引き出すことが可能であり、
前記ストッパー基部が中空チューブ構造であり、
前記ストッパー基部が前記アンテナジャケット上に配置され、
前記ストッパー基部と前記アンテナジャケットとの間に、前記アンテナジャケットの長さ方向にギャップが存在し、
前記伸縮式アンテナが前記ストッパー基部内をスライド可能であるように、前記ストッパー基部の内径が、前記伸縮式アンテナの外径に適合し、
前記弾性スリーブが前記ストッパー基部と前記アンテナジャケットとの間のギャップにおいて固定されて、前記アンテナジャケットの前記ストッパー基部の方向に向かう運動を制限する、アンテナ。
【請求項２】
前記アンテナがさらにアンテナ基部を含み、
前記アンテナ基部が前記アンテナジャケット内に配置されて前記伸縮式アンテナの下部に接続され、
前記アンテナ基部が前記伸縮式アンテナと共に前記アンテナジャケット内でスライド可能であり、
前記アンテナ基部がリング形状の突起部を有し、
前記リング形状の突起部の外径が前記ストッパー基部の内径よりも大きく、
前記伸縮式アンテナが引き出されたときに、前記リング形状の突起部が前記ギャップにおいて固定される、請求項１に記載のアンテナ。
【請求項３】
前記アンテナジャケットが中空円筒構造であり、
前記ストッパー基部及び前記アンテナジャケットが同軸上に配置される、請求項２に記載のアンテナ。
【請求項４】
前記アンテナジャケットが半円筒構造であり、
前記伸縮式アンテナが側部開口から引き出され、前記伸縮式アンテナの露出した部分が、前記アンテナジャケットの外側で回転可能である、請求項１または２に記載のアンテナ。
【請求項５】
前記アンテナジャケットが側部に開口溝を有するチューブ構造であり、
前記伸縮式アンテナが前記アンテナジャケットの上方で回転し、側部開口から引き出すことができる、請求項１または２に記載のアンテナ。
【請求項６】
以下のアンテナ、ＧＰＳアンテナ、Ｗｉ−Ｆｉアンテナ及びダイバーシティアンテナのいずれか１つまたはいくつかの組み合わせを含むコンビネーションアンテナであって、
前記コンビネーションアンテナが請求項１から５のいずれか一項に記載のアンテナをさらに含み、
ＧＰＳアンテナ、Ｗｉ−Ｆｉアンテナ及びダイバーシティアンテナのいずれか１つ以上のアンテナが前記アンテナジャケットに隣接する領域に配置される、コンビネーションアンテナ。
【請求項７】
請求項６に記載の前記コンビネーションアンテナを含み、前記コンビネーションアンテナがアンテナ設置位置に配置される、モバイル端末。
【発明の詳細な説明】
【技術分野】
【０００１】
関連出願の相互参照
本出願は、２０１２年９月２８日中国国家知識産権局に出願された「アンテナ、コンビネーションアンテナ及びモバイル端末」と題する中国特許出願第２０１２１０３７０３７２．４号の優先権を主張し、その全体は参照により本明細書に組み込まれている。
【０００２】
本発明は、通信技術、特に通信に用いられるアンテナ、コンビネーションアンテナ及びモバイル端末に関する。 
【背景技術】
【０００３】
科学技術の発展により、携帯電話またはその他のモバイル端末製品を用いることによってテレビを視聴する必要性は世界中で絶えず増大している。従って、表出する新しい無線通信の機能的部分は主に伸縮式アンテナである。しかしながら、伸縮式アンテナは携帯電話の特定の空間を占める必要がある。さらに、通信性能の最適化された経験に対する使用者の必要性に基づき、伸縮式アンテナを配置するための位置は通常ＧＰＳ（全地球測位システム）アンテナまたはＷｉ−Ｆｉ（ワイヤレス・フィデリティ）アンテナと重なる。
【０００４】
この問題を解決するために、モバイル端末を設計する際に、技術者は調整のためにＧＰＳアンテナ及びＷｉ−Ｆｉアンテナを他の場所に移動させることまたは伸縮式アンテナを配置のために他の位置に移動させることを検討するが、これは、使用者から最適な性能の経験を奪うこととなる。さらに、伸縮式アンテナ及びＧＰＳアンテナなどのその他のアンテナは空間を共有することができないので、モバイル端末の大きさは大きくなる。従って、技術者は依然として、これらのアンテナを一緒に配置している。この配置方法において、伸縮式アンテナが伸展するときには、ＧＰＳアンテナ及びその他のアンテナを取り囲む金属環境が変化し、そのためＧＰＳアンテナとその他のアンテナや周囲の環境との間の共振周波数が変化し、ＧＰＳアンテナ及びその他のアンテナの通信周波数が逸脱する。従って、通信性能は著しく悪化し、使用者のＧＰＳアンテナ及びその他のアンテナは適切に働くことができない。
【発明の概要】
【発明が解決しようとする課題】
【０００５】
本発明の実施形態はアンテナ、コンビネーションアンテナ及びモバイル端末を提供し、使用者のモバイル端末の信号周波数の安定性を改善し、良好な通信性能を確保する。
【０００６】
第１の態様によれば、本発明の実施形態は、伸縮式アンテナ及びアンテナジャケットを含み、前記アンテナジャケットが少なくとも一端に開口部を有する中空チューブ構造であり、前記伸縮式アンテナが前記アンテナジャケット内に配置され、前記伸縮式アンテナが前記アンテナジャケット内をスライドし、前記アンテナジャケットの一端の前記開口から引き出すことが可能である、アンテナを提供する。 
【０００７】
第１の態様を参照すると、本発明の第１の可能な実装方式において、前述のアンテナはさらにストッパー基部及びアンテナ基部を含み、前記ストッパー基部が中空チューブ構造であり、前記ストッパー基部が前記アンテナジャケット上に配置され、前記ストッパー基部と前記アンテナジャケットとの間に、前記アンテナジャケットの長さ方向にギャップが存在し、前記伸縮式アンテナが前記ストッパー基部内をスライド可能であるように、前記ストッパー基部の内径が、前記伸縮式アンテナの外径に適合する。
【０００８】
前記アンテナ基部は前記アンテナジャケット内に配置されて前記伸縮式アンテナの下部に接続される。前記アンテナ基部は前記伸縮式アンテナと共に前記アンテナジャケット内でスライド可能である。前記アンテナ基部はリング形状の突起部を有し、前記リング形状の突起部の外径は前記ストッパー基部の内径よりも大きい。前記伸縮式アンテナが引き出された後に、前記リング形状の突起部が前記ギャップにおいて固定される。
【０００９】
前述のアンテナによれば、前記アンテナジャケットは中空チューブ構造であり、前記ストッパー基部及び前記アンテナジャケットが同軸上に配置される。 
【００１０】
前述のアンテナによれば、前記アンテナがさらに弾性スリーブを含み、前記弾性スリーブが前記ストッパー基部と前記アンテナジャケットとの間のギャップにおいて固定されて、前記アンテナジャケットの前記ストッパー基部の方向に向かう運動を制限する。 
【００１１】
第１の態様を参照すると、本発明の第２の可能な実装方法において、前記アンテナジャケットが半円筒構造であり、前記伸縮式アンテナが側部開口から引き出され、前記伸縮式アンテナの露出した部分が、前記アンテナジャケットの外側で回転可能である。
【００１２】
第１の態様を参照すると、本発明の第３の可能な実装方法において、前記アンテナジャケットが側部に開口溝を有するチューブ構造であり、前記伸縮式アンテナが側部開口から引き出され、前記伸縮式アンテナの露出した部分が、前記アンテナジャケットの外側で回転可能である。
【００１３】
第２の態様によれば、本発明の実施形態はコンビネーションアンテナを提供し、コンビネーションアンテナは、以下のアンテナ、ＧＰＳアンテナ、Ｗｉ−Ｆｉアンテナ及びダイバーシティアンテナのいずれか１つまたはいくつかの組み合わせを含み、さらに、本発明の第１から第３の可能な実装方式のいずれか１つに従うアンテナ構造を含む。
【００１４】
ＧＰＳアンテナ、Ｗｉ−Ｆｉアンテナ及びダイバーシティアンテナのいずれか１つ以上のアンテナが前記アンテナジャケットに隣接する領域に配置される。
【００１５】
第３の態様によれば、本発明の実施形態はモバイル端末を提供し、前記端末が本発明の第２の態様で提供される前記コンビネーションアンテナを含み、前記コンビネーションアンテナが前記端末のアンテナ設置位置に配置される。
【００１６】
本発明の実施形態で提供されるアンテナ、コンビネーションアンテナ及びモバイル端末によれば、アンテナジャケットが伸縮式アンテナの外側に配置されるので、伸縮式アンテナが引き出される際に、アンテナジャケットは元の位置にそのままとどまり、移動しない。伸縮式アンテナに隣接する領域の端末筐体に配置され及び／または絶縁アンテナ支持部を用いることによってアンテナジャケットの外壁に取り付けられたＧＰＳアンテナ及びその他のアンテナに関して、周囲の金属環境が顕著に変化せず、ＧＰＳアンテナ及びその他のアンテナは適切に働くことができる。従って、伸縮式アンテナは、モバイル端末の通信性能または最適化された使用者の経験に関する使用者の要求を妨げることなく、ＧＰＳアンテナ及びその他のアンテナと共に集約されて配置可能である。
【００１７】
本発明の実施形態または従来技術の技術的解決手段をより明確に説明するために、以下に、実施形態または従来技術を説明するために必要な添付図面について簡単に説明する。明らかに、以下の説明において添付する図面は本発明の実施形態のいくつかを示すにすぎず、当業者であれば、創造的な努力を要せず、これらの添付する図面からその他の図面をさらに引き出しうる。
【図面の簡単な説明】
【００１８】
【図１】本発明の実施形態１に従うモバイル端末に配置された第１のアンテナの概略的な図である。
【図２】本発明の実施形態１に従うモバイル端末に配置された第２のアンテナの概略的な図である。
【図３】本発明の実施形態１に従うモバイル端末に配置されたアンテナの背面図である。
【図４】本発明の実施形態１に従うモバイル端末に配置されたアンテナの断面図である。
【図５】本発明の実施形態１に従うモバイル端末に配置され伸展されたアンテナの概略図である。
【図６】本発明の実施形態２に従うモバイル端末に配置されたアンテナの概略図である。
【発明を実施するための形態】
【００１９】
本発明の目的、技術的解決手段及び実施形態の利点をより明確にするために、以下に本発明の実施形態の技術的解決手段を、本発明の実施形態の添付した図面を参照して明確かつ完全に説明する。明らかに、説明される実施形態は本発明の実施形態の全てではなくむしろ一部にすぎない。創造的な努力を要することなく本発明の実施形態に基づいて当業者によって得られるその他全ての実施形態は、本発明の保護範囲内にある。
【００２０】
本発明の実施形態はアンテナを提供し、アンテナは様々なモバイル通信端末に適用され、モバイル端末の通信周波数の安定性を確保する。本発明のこの実施形態において、携帯電話が例として使用され、アンテナは添付した図面を参照して詳細に説明される。
【００２１】
図１は、本発明の実施形態１に従うモバイル端末に配置された第１のアンテナの概略図である。
【００２２】
図１に示されるように、本発明の実施形態１において、アンテナは伸縮式アンテナ０１及びアンテナジャケット０２を含み、アンテナジャケット０２は少なくとも一端に開口を有する中空チューブ構造であり、伸縮式アンテナ０１はアンテナジャケット０２内に配置され、伸縮式アンテナ０１はアンテナジャケット内をスライドさせ、アンテナジャケット０２から引き出すことができる。
【００２３】
伸縮式アンテナ０１は、ウェブＴＶを視聴するための既存の従来の伸縮式アンテナであってもよく、特殊な性能を有する伸縮式アンテナであってもよい。さらに、伸縮式アンテナ０１の外に配置されたアンテナジャケット０２は、円筒形であってもよく、側部に開口溝を有するチューブ構造であってもよい。図２は、本発明の実施形態１に従うモバイル端末に配置される第２のアンテナの概略図である。図２に示されるように、アンテナジャケット０２は側部に開口溝を有するチューブ構造であってもよい。具体的には、アンテナジャケット０２は半円筒構造であり、アンテナジャケット０２は伸縮式アンテナ０１を部分的に収容し、アンテナジャケット０２の側部の開口には端末のその他どのアンテナも配置されない。さらに、アンテナジャケット０２は金属の筒であってもよく、または表面に導電性物質を塗布された円筒形の物体であってもよく、または直接電気めっき及びモールドされたものであってもよい。実際の応用において、伸縮式アンテナ０１及びアンテナジャケット０２の形状及び配置方法は、必要性に応じて柔軟に選択されてもよい。
【００２４】
具体的には、アンテナの実際の応用において、アンテナはモバイル端末に配置される必要があり、モバイル端末は携帯電話であってもよく、または、無線信号を受け取るその他の端末装置であってもよい。この実施形態において、携帯電話はモバイル端末の例として使用される。図１に示されるように、携帯電話筐体１０の右上側（実際の応用例では、アンテナの位置は必要性に応じて選択される）には溝２０が存在し、伸縮式アンテナ０１は携帯電話筐体１０の溝２０内に配置され、アンテナジャケット０２は伸縮式アンテナ０１の外側に配置され、伸縮式アンテナ０１はアンテナジャケット０２内でスライドし、アンテナジャケットの一端において開口から引き出すことができる。図１に示されるように、アンテナジャケット０２は円筒構造である。しかしながら、本発明において、アンテナジャケット０２は円筒形状に限定されず、半円筒形であってもよく、側部に開口溝を有するチューブ構造であってもよく、またはそれに類似のものであってもよい。さらに、アンテナジャケット０２は、金属の筒であってもよく、表面に導電性物質を塗布された円筒形の物体であってもよく、または直接電気めっきされ、モールドされたものであってもよい。
【００２５】
図３は、本発明の実施形態１に従うモバイル端末に配置されるアンテナの背面図である。図３に示されるように、ＧＰＳアンテナ４１及びＷｉ−Ｆｉアンテナ４２は携帯電話筐体１０に、伸縮式アンテナ０１に隣接する領域に配置されてもよく、ダイバーシティアンテナ４３が絶縁支持部（図示されない）を用いることによってアンテナジャケット０２の外壁に取り付けられる。ＧＰＳアンテナ４１、Ｗｉ−Ｆｉアンテナ４２およびダイバーシティアンテナ４３などのその他のアンテナを配置するための位置は、実際の必要性に応じて柔軟に選択されてもよく、すなわち、ＧＰＳアンテナ４１、Ｗｉ−Ｆｉアンテナ４２およびダイバーシティアンテナ４３などのその他のアンテナのうちいずれか１つ以上のアンテナが携帯電話筐体１０の伸縮式アンテナ０１に隣接する領域に配置され及び／または絶縁支持部（図示されない）を用いることによってアンテナジャケット０２の外壁に取り付けられてもよい。
【００２６】
実施形態１に提供されるアンテナによれば、アンテナジャケットは、伸縮式アンテナの外側に配置されるので、伸縮式アンテナが引き出される際には、アンテナジャケットはそのまま元の位置にとどまり、移動しない。伸縮式アンテナの近くの端末筐体に配置されまたは絶縁性アンテナ支持部を用いることによってアンテナジャケットの外壁に取り付けられたＧＰＳアンテナ及びその他のアンテナに関して、周囲の金属環境は顕著に変化せず、ＧＰＳアンテナ及びその他のアンテナの通信周波数は逸脱せず、通信性能は影響を受けない。伸縮式アンテナが引き出されたときにも、ＧＰＳアンテナ及びその他のアンテナは適切に働き続けることができる。
【００２７】
実施形態１に提供されたアンテナはさらに、ストッパー基部及びアンテナ基部を含み、ストッパー基部は中空チューブ構造であり、ストッパー基部はアンテナジャケットの上部に配置され、ストッパー基部とアンテナジャケットの間には、アンテナジャケットの長さの方向にギャップが存在し、ストッパー基部の内径は伸縮式アンテナの外径に適合し、そのため伸縮式アンテナはストッパー基部の中でスライドすることができる。アンテナのアンテナ基部はアンテナジャケット内に配置され、伸縮式アンテナの下部に接続され、例えばヒンジ式に留められる。アンテナ基部はアンテナジャケット内で伸縮式アンテナと共にスライドすることができる。アンテナ基部はリング形状の突起部を有し、リング形状の突起部の外径はストッパー基部の内径よりも大きい。伸縮式アンテナが伸展すると、リング形状の突起部がギャップにおいて固定される。このように、アンテナが使用のために引き出されると、リング形状の突起部はストッパー基部に固定可能であり、それによって伸縮式アンテナが脱落しないようにすることができる。
【００２８】
具体的には、アンテナジャケットは中空円筒構造または中空角チューブ構造であってもよい。ストッパー基部がモバイル端末に配置される場合、ストッパー基部はアンテナジャケットと同軸上に配置される。
【００２９】
さらに、ストッパー基部はアンテナジャケットの上にあり、ストッパー基部とアンテナジャケットの間にアンテナジャケットの長さ方向にギャップが存在する。アンテナパケットの位置が確実に固定されるように、アンテナはさらに弾性スリーブを含み、弾性スリーブはストッパー基部とアンテナジャケットとの間のギャップに固定され、弾性スリーブは、アンテナジャケットの垂直方向においてストッパー基部の下端及びアンテナジャケットの上端に密着され、ストッパー基部の方向へ向かうアンテナジャケットの移動を制限する。
【００３０】
図４は、本発明の実施形態１に従うモバイル端末に配置されたアンテナの断面図である。図４に示されるように、伸縮式アンテナ０１はアンテナジャケット０２の上方のストッパー基部０３内に配置される。ストッパー基部０３は所定の厚さを有する中空円筒であり、ストッパー基部０３はアンテナジャケット０２と同軸上に配置される。伸縮式アンテナ０１の外径はストッパー基部０３の内径と適合し、すなわち、伸縮式アンテナ０１の外径はストッパー基部０３の内径よりわずかに小さく、伸縮式アンテナ０１はストッパー基部０３内をスライドすることができる。
【００３１】
伸縮式アンテナを使用する際には、使用者は伸縮式アンテナを引き出す必要がある。伸縮式アンテナがストッパー基部から完全に脱落するのを防ぎ、引き出した後に伸縮式アンテナが重力の作用下でアンテナジャケットに引き込まれるのを防ぐために、本発明のアンテナ基部の底部において設計がなされる。
【００３２】
図５は、本発明の実施形態１に従ってモバイル端末に配置され、引き出されたアンテナの概略図である。図５に示されるように、伸縮式アンテナの下部がアンテナ基部０５に接続され、例えばヒンジ式に留められるので、アンテナ基部０５は伸縮式アンテナ０１と共にスライドする。リング形状の突起部０５１がアンテナ基部０５に設計され、リング形状の突起部０５１の材料は所定の弾性率を有する弾性プラスチックガスケットである。
【００３３】
アンテナ基部０５が完全にアンテナジャケット０２の内部にある場合、リング形状の突起部０５１は水平方向に押し出す力を受け、アンテナジャケット０２の内壁に密着される。伸縮式アンテナ０１が使用される必要がある場合には、伸縮式アンテナ０１は引き出され、アンテナ基部０５は伸縮式アンテナ０１と共に移動する。所定のギャップ３０が水平方向にストッパー基部０３下に存在する。リング形状の突起部０５１がストッパー基部０３下でギャップ３０まで移動すると、リング形状の突起部０５１は水平方向にアンテナジャケット０２の内壁の押し出す力をもはや受けず、リング形状の突起部０５１は水平方向に広がる。この場合、リング形状の突起部０５１の外径はストッパー基部０３の内径及びアンテナジャケット０２の内径よりも大きい。従って、伸縮式アンテナ０１がストッパー基部０３から伸展すると、リング形状の突起部０５１がストッパー基部０３の下部に固定され、それによって伸縮式アンテナ０１及びアンテナ基部０５がストッパー基部０３から完全に外れるのを防ぐ。さらに、リング形状の突起部０５１は、アンテナジャケット０２の下部に固定され、それによって伸縮式アンテナ０１が重力の作用下でアンテナジャケット０２内に引き込まれ、使用者の使用に影響を与えることを防ぐ。
【００３４】
使用者が伸縮式アンテナの使用を停止する場合、使用者は伸縮式アンテナに軽く下向きの力を加え、リング形状の突起部０５１は力によって水平方向に縮小し、伸縮式アンテナ０１はアンテナジャケット０２内に収容される。アンテナジャケット０２上のストッパー基部０３は、携帯電話筐体１０に固定され、アンテナジャケット０２はストッパー基部０３と同軸上に配置される。伸縮式アンテナが引き出されまたは収容される場合、位置制限基部０３は垂直方向におけるスライド経路において伸縮式アンテナを安定させる。
【００３５】
ＧＰＳアンテナ及びその他のアンテナの通信性能の安定性を改善するために、アンテナジャケットは携帯電話筐体にしっかりと固定される必要がある。従って、本発明の実施形態１のアンテナはさらに弾性スリーブを含んでもよい。弾性スリーブはストッパー基部とアンテナジャケットとの間に固定され、ストッパー基部の方向へのアンテナジャケットの移動を制限する。
【００３６】
図３及び図４を参照する。アンテナジャケット０２の下部は垂直方向において携帯電話筐体１０に密着し、リング形状の弾性スリーブ０４はストッパー基部０３とアンテナジャケット０２との間に配置される。垂直方向における弾性スリーブ０４の弾性のために、アンテナジャケット０２は上方へも下方へも移動しない。さらに、バンプ１０１がアンテナが配置される溝２０内に携帯電話筐体１０から延設し、バンプ１０１がアンテナジャケットを溝２０内に固定することができる。従って、ＧＰＳアンテナ及びその他のアンテナの周囲の金属環境が比較的安定し、ＧＰＳアンテナ及びその他のアンテナの通信性能が確保される。
【００３７】
さらに、実施形態１において、アンテナジャケットは円筒形状に限定されない。アンテナジャケットの配置方法は実際の必要性に応じて柔軟に変更されてもよく、すなわち、アンテナジャケットは、半円筒形、半円弧チューブまたはドア形状チューブ構造などの側部に開口溝を有するチューブ構造であってもよい。
【００３８】
実際の応用例において、伸縮式アンテナの使用は、伸縮式アンテナが位置するモバイル端末の構成に従って柔軟に変化されてもよく、伸縮式アンテナの位置及び関連する付属品もまた調整されうる。
【００３９】
本発明の実施形態２はアンテナを提供する。モバイル端末の外形及び付属品の設計のために、側部開口がアンテナが配置される位置に提供される。従って、アンテナジャケットは半円筒構造であるように設計されてもよく、伸縮式アンテナのアンテナ基部はアンテナジャケットの上方に配置され、アンテナ筐体に固定され、伸縮式アンテナは側部開口から引き出され、伸縮式アンテナの露出した部分はアンテナジャケットの外側に回転することができる。
【００４０】
図６は本発明の実施形態２に従うモバイル端末に配置されたアンテナの概略的な図である。図６に示されるように、半円形の溝が、アンテナがモバイル端末上に配置される位置に設計される。それに応じて、アンテナジャケット０２は半円筒形状であるように設計され、伸縮式アンテナ０１のアンテナ基部０５はアンテナジャケット０２の上部に配置され、伸縮式アンテナ０１は側部開口５０から引き出すことができ、伸縮式アンテナの露出した部分はアンテナジャケット０２の外側に回転することができる。モバイル端末において、アンテナジャケット０２は伸縮式アンテナ０１のために構成される。従って、伸縮式アンテナ０２が側部開口５０から伸展する際に、アンテナジャケット０２に隣接する領域で携帯電話筐体１０に配置され及び／またはアンテナ支持部を使用することによってアンテナジャケット０２の外壁に取り付けられたＧＰＳアンテナ、Ｗｉ−Ｆｉアンテナおよびダイバーシティアンテナなどのその他のアンテナの周囲の金属環境が比較的安定である。そのため、伸縮式アンテナ０１が伸展される場合に、ＧＰＳアンテナ及びその他のアンテナの通信性能は影響されない。
【００４１】
本発明の実施形態２のアンテナジャケットはまた、側部開口を有するチューブ構造であってもよい。実際の応用において、アンテナジャケットの形状及び配置方法は、本発明のこの実施形態で説明された形状及び配置方法に限定されない。
【００４２】
実施形態１及び実施形態２を参照して、本発明の実施形態３はコンビネーションアンテナを提供し、コンビネーションアンテナは以下のアンテナ、ＧＰＳアンテナ、Ｗｉ−Ｆｉアンテナ及びダイバーシティアンテナのいずれか１つまたはいくつかの組み合わせを含む。コンビネーションアンテナはさらに実施形態１及び実施形態２で提供されたアンテナの特徴を含む。図３に示されるように、ＧＰＳアンテナ４１及びＷｉ−Ｆｉアンテナ４２はアンテナジャケットに隣接する領域に配置され、ダイバーシティアンテナ４３は絶縁支持部を用いることによってアンテナジャケットの外壁に取り付けられる。実際の応用において、ＧＰＳアンテナ４１、Ｗｉ−Ｆｉアンテナ４２及びダイバーシティアンテナ４３などのその他のアンテナのいずれか１つ以上のアンテナは、アンテナジャケットに隣接する領域に配置されてもよく、絶縁支持部を用いることによってアンテナジャケットの外壁に取り付けられてもよい。本発明の実施形態３で提供されるコンビネーションアンテナでは、伸縮式アンテナ及びＧＰＳアンテナなどのその他のアンテナが、モバイル端末の通信性能において使用者の経験に影響を与えることなく、一体に配置される。
【００４３】
実施形態３を参照して、本発明の実施形態４はモバイル端末を提供する。モバイル端末は実施形態３のコンビネーションアンテナを含み、アンテナは端末筐体のアンテナ設置位置に配置される。実施形態３のコンビネーションアンテナは本発明の実施形態４のモバイル端末において使用されるので、モバイル端末の通信性能は安定し、それによって通信品質を向上させ、モバイル端末の性能に関する使用者の必要性を満足する。
【００４４】
本発明の実施形態で提供されるアンテナ、コンビネーションアンテナ及びモバイル端末によれば、アンテナジャケットが伸縮式アンテナの外側に配置されるので、伸縮式アンテナが引き出されると、アンテナジャケットはそのまま元の位置に残り、移動しない。ＧＰＳアンテナ及びその他のアンテナに関して、周囲の金属環境は顕著に変化せず、ＧＰＳアンテナ及びその他のアンテナは適切に働くことができる。従って、ＧＰＳアンテナ及びその他のアンテナは、伸縮式アンテナが引き出されたときのＧＰＳアンテナ及びその他のアンテナへの影響を避けるために伸縮式アンテナから分離される必要がない。従って、ＧＰＳアンテナ及びその他のアンテナが伸縮式アンテナと隣接する領域において携帯電話筐体に配置されてもよく、絶縁アンテナ支持部がアンテナジャケットに配置される場合にはＧＰＳアンテナ及びその他のアンテナがアンテナ支持部に配置されてもよい。伸縮式アンテナは携帯電話のアンテナの性能における使用者の最適化された経験を損なうことなく、ＧＰＳアンテナ及びその他のアンテナと共に集約して配置可能である。さらに、モバイル端末の大きさが小さくなり、モバイル端末は持ち運びが容易になる。
【００４５】
最後に、前述の実施形態は本発明を限定するのではなく本発明の技術的課題を説明することを意図されたものにすぎないことに注意すべきである。本発明が前述の実施形態を参照して詳細に説明されたが、当業者であれば、前述の実施形態において説明された技術的解決手段にさらに改良を加え、その技術的特徴のいくつかに等価な置き換えを行いうることは理解するであろう。しかし、それらの改良及び置換は、対応する技術的解決手段の本質を本発明の実施形態の技術的解決手段の範囲から逸脱させないものである。
【符号の説明】
【００４６】
０１  伸縮式アンテナ
０２  アンテナジャケット
０３  ストッパー基部
０４  弾性スリーブ
０５  アンテナ基部
０５１  リング形状の突起部
１０  携帯電話筐体
２０  溝
３０  ギャップ
４１  ＧＰＳアンテナ
４２  Ｗｉ−Ｆｉアンテナ
４３  ダイバーシティアンテナ
５０  側部開口
１０１  バンプ
【図１】
0005982707.tif 000002
【図２】
0005982707.tif 000003
【図３】
0005982707.tif 000004
【図４】
0005982707.tif 000005
【図５】
0005982707.tif 000006
【図６】
0005982707.tif 000007